(57)【要約】【課題】本発明の目的は、エミッタティップ先端及びその周辺での不純物ガスの脱着を抑えることにより、安定したイオンビームを照射することが可能な荷電粒子線装置を提供することである。【解決手段】荷電粒子線装置は、針状の陽極エミッタティップと、前記エミッタティップに対向して配置された引出し電極と、前記エミッタティップを冷却するためのコールドヘッドを有する冷凍機と、前記冷凍機から前記エミッタティップに熱を伝えるための伝熱部と、前記エミッタティップの角度を変更する駆動機構と、前記駆動機構及び前記冷凍機の前記コールドヘッドが配置される第１の空間と、前記エミッタティップが配置される第２の空間を隔てる真空隔壁と、を備える。前記真空隔壁は、前記エミッタティップに接続されており、前記真空隔壁は、前記駆動機構の動きに応じて動く可動部を備える。【選択図】図２
2014235985.tif 000002
【特許請求の範囲】
【請求項１】
荷電粒子源から放出される荷電粒子線を試料上に入射させる荷電粒子照射カラムを備える荷電粒子線装置であって、
針状の陽極エミッタティップと、
前記エミッタティップに対向して配置された引出し電極と、
前記エミッタティップを冷却するための冷却機構と、
前記エミッタティップの角度を変更する駆動機構と、
前記駆動機構及び前記冷却機構が配置される第１の空間と、前記エミッタティップが配置される第２の空間を隔てる真空隔壁と、を備え、
前記真空隔壁は、前記エミッタティップに接続されており、前記真空隔壁は、前記駆動機構の動きに応じて動く可動部を備えることを特徴とする荷電粒子線装置。
【請求項２】
請求項１に記載の荷電粒子線装置において、
前記第２の空間が、前記エミッタティップを内包する第１の部屋と、前記第１の部屋の外側に設けられた第２の部屋とを備え、
前記第１の部屋には、イオン化ガスを導入する第１のガス導入機構が設けられていることを特徴とする荷電粒子線装置。
【請求項３】
請求項２に記載の荷電粒子線装置において、
前記第１の部屋は、前記真空隔壁の一部を絶縁体を介して前記引出し電極に接続することにより形成されていることを特徴とする荷電粒子線装置。
【請求項４】
請求項２に記載の荷電粒子線装置において、
前記第２の部屋に接続された真空排気機構を更に備え、
前記引出し電極は、開口部を有しており、前記第１の部屋及び前記第２の部屋が前記引出し電極の前記開口部を介して作動排気されるように構成されていること特徴とする荷電粒子線装置。
【請求項５】
請求項２に記載の荷電粒子線装置において、
前記第２の部屋には、エッチングガスを導入する第２のガス導入機構が設けられていることを特徴とする荷電粒子線装置。
【請求項６】
請求項１に記載の荷電粒子線装置において、
前記エミッタティップを保持するエミッタホルダを更に備え、
前記真空隔壁は、前記エミッタホルダに接続されたシール部と、前記可動部と、前記荷電粒子照射カラムの本体部に接続された支持部とを備えることを特徴とする荷電粒子線装置。
【請求項７】
請求項１に記載の荷電粒子線装置において、
前記第１の空間に接続された第１の真空排気機構と、前記第２の空間に接続された第２の真空排気機構とを更に備えることを特徴とする荷電粒子線装置。
【請求項８】
請求項１に記載の荷電粒子線装置において、
前記真空隔壁は、折り返し機構を備えることを特徴とする荷電粒子線装置。
【請求項９】
請求項１に記載の荷電粒子線装置において、
前記冷却機構に接続され、前記エミッタティップの周囲を囲む輻射シールドを更に備え、
前記真空隔壁は、前記輻射シールドの内側に配置されていることを特徴とする荷電粒子線装置。
【請求項１０】
請求項９に記載の荷電粒子線装置において、
前記真空隔壁は、折り返し機構を備え、前記折り返し機構が、前記輻射シールドに接続されていることを特徴とする荷電粒子線装置。
【請求項１１】
請求項１に記載の荷電粒子線装置において、
前記冷却機構は、ガスの循環により前記エミッタティップに熱を伝えることを特徴とする荷電粒子線装置。
【請求項１２】
請求項１に記載の荷電粒子線装置において、
前記冷却機構と前記荷電粒子照射カラムの本体部とを接続する振動ダンパーを更に備えることを特徴とする荷電粒子線装置。
【請求項１３】
請求項１に記載の荷電粒子線装置において、
前記冷却機構は、機械式冷凍機を備えることを特徴とする荷電粒子線装置。
【請求項１４】
請求項１に記載の荷電粒子線装置において、
前記冷却機構は、液体の冷媒を含む冷媒容器を備えることを特徴とする荷電粒子線装置。
【発明の詳細な説明】
【技術分野】
【０００１】
本発明は、荷電粒子線装置に関する。
【背景技術】
【０００２】
電子ビームを電磁界レンズを通して集束し、これを走査しながら試料に照射して、試料から放出される二次電子荷電粒子を検出することにより、試料表面の構造を観察することができる。このような装置は走査電子顕微鏡(Scanning Electron Microscope、以下、ＳＥＭと略記）と呼ばれる。
【０００３】
一方、イオンビームを電磁界レンズを通して集束し、これを走査しながら試料に照射して、試料から放出される二次荷電粒子を検出することにより、試料表面の構造を観察することができる。このような装置は走査イオン顕微鏡（Scanning Ion Microscope、以下、ＳＩＭと略記）と呼ばれる。
【０００４】
表面観察に用いるイオン種は水素、ヘリウムなどの質量の軽いものが好適である。質量が軽いイオン種は、試料表面をスパッタする作用が小さく、試料の表面の損傷を最小化することができるためである。また、これらのイオンビームは、電子ビームに比べて試料表面の情報に敏感である特徴を有する。これは、水素やヘリウムイオンが試料表面へ侵入するとき、電子ビームの照射に比べて、二次荷電粒子の励起領域が試料表面の方へより局在するためである。また、電子ビームでは、電子の波としての性質が無視できないため、回折効果により収差が発生する。一方、イオンビームでは、電子に比べて重いため、回折効果を無視することができる。
【０００５】
また、イオンビームを試料に照射して、試料を透過したイオンを検出することにより、試料内部の構造を反映した情報を得ることもできる。このような装置は透過イオン顕微鏡と呼ばれる。特に水素、またはヘリウムなどの質量の軽いイオン種を試料に照射すれば、試料を透過する割合が大きくなり、試料を観察するのに好適となる。
【０００６】
逆に、酸素・窒素・アルゴン・クリプトン・キセノン・ガリウム・インジウムなどに代表される質量の重いイオン種を試料に照射すれば、スパッタ作用により試料を加工するのに好適となる。その中でも特に、液体金属イオン源を用いた集束イオンビーム装置がイオンビーム加工装置として知られている。
【０００７】
また、ＳＩＭに使用するイオン源としてはガス電界電離イオン源(Gas Field Ionization Source、以下、ＧＦＩＳと略記）が好適である。ＧＦＩＳでは、先端の曲率半径を１００ｎｍ程度以下にした金属製のエミッタティップに高電圧を印加し、先端に電界を集中させる。そして、その先端付近にガス（イオン化ガス）を導入し、そのガス分子を電界電離し、イオンビームとして引き出す。ＧＦＩＳは、エネルギー幅が狭いイオンビームを生成することができる。また、イオン発生源はサイズが小さいため、微細なイオンビームを生成することができる。
【０００８】
ＧＦＩＳを用いたＳＩＭ（以下、ＧＦＩＳ−ＳＩＭと略記）では、ノイズの少ない試料像を得るために、試料上で大きな電流密度のイオンビームを得る必要がある。そのためには、電界電離イオン源のイオン放射角電流密度を大きくする必要がある。イオン放射角電流密度を大きくするためには、エミッタティップ近傍のイオン化ガスの密度を大きくさせればよい。
【０００９】
次に、エミッタティップの温度を低温に冷却すると、エミッタティップに衝突したイオン化ガスの分子のエネルギーが減少及び凝集するので、イオン化ガス分子の密度を上昇させることができる。エミッタティップを冷却する手段としては、機械式冷凍機が好適である。冷凍機がその冷却性能を維持する為には、冷凍機のコールドヘッドへの常温からの熱流入を極小化する必要がある。この為、コールドヘッド周辺を真空に保つのが一般的であるが、ティップ周辺の真空度とは異なり、高真空程度以上（０．１Ｐａ以下）であれば、冷却性能を維持するのに十分である。
【００１０】
また、エミッタティップ周辺に導入するイオン化ガスの圧力を上昇させることもできる。ただし、１Ｐａ以上導入すると、イオンビームがイオン化ガスに衝突することにより中性化し、イオンビーム電流が減少する、またはグロー放電する、というような課題がある。このような課題を解決するために、エミッタティップ先端に原子数個の突起を形成することによりガスをイオン化する領域を制限し、供給が限られたイオン化ガスを効率よくイオン化することによりイオン放射角電流密度が向上することが知られている。
【００１１】
また、エミッタティップ先端の原子の突起から放出されたイオンビームはその開き角が数度と非常に指向性が高いため、電磁界レンズを通して試料に照射する際には、エミッタティップの位置と角度を調整する必要がある。
【００１２】
従来技術として、例えば、特許文献１には、エミッタティップの先端に微小な突出部を形成することによって、イオン源特性が向上することが開示されている。また、特許文献２には、イオン照射系をコンパクトにし、イオン光学長を短くすることで、エミッタティップと試料の相対振動の振幅を小さくし、高分解能の試料観察を可能にする荷電粒子顕微鏡が開示されている。また、特許文献３には、ＧＦＩＳを冷却する冷凍機とはＳＩＭ本体とは独立に設置し、ＧＦＩＳと冷凍機の間で冷媒を循環させる冷媒循環回路冷却機構を設けたイオン顕微鏡が開示されている。
【先行技術文献】
【特許文献】
【００１３】
【特許文献１】特開昭５８−８５２４２号公報
【特許文献２】国際公開２０１１／０５５５２１号
【特許文献３】特開２０１１−１４２４５号公報
【発明の概要】
【発明が解決しようとする課題】
【００１４】
エミッタティップ先端に原子数個の突起を形成したＧＦＩＳを荷電粒子顕微鏡に適用することにおいては以下の課題がある。
【００１５】
ガス電界電離イオン源では、前述のようにエミッタティップ近傍にイオン化ガスを導入する必要がある。このイオン化ガスに不純物ガスが混入している場合、不純物ガス分子がエミッタティップ先端付近で脱着する可能性がある。または、ティップを配する空間の真空度が低い場合、その空間にもともと存在する不純物ガスがエミッタティップ先端付近で脱着する可能性がある。この分子の脱着によりエミッタティップ先端の形状は変化し、先端付近の電界が変動する。この要因により電界が変動し、イオンビーム電流が変動する。
【００１６】
また、エミッタティップ先端以外の個所で不純物が脱着する場合にも影響が存在する。不純物ガスが付着した箇所は、不純物ガスの大きさだけ突出するため、他所と比べて電界が高くなり、その箇所からイオンビーム放射が起こる可能性がある。もし不純物ガス吸着箇所からのイオンビーム放射があると、そのイオンビーム放射に相当するイオン化ガスの分量をその個所で消費される。この結果、本来イオン源として用いていた原子の個所からのイオン化ガスの供給量が減少する。この要因によりイオンビーム電流が変動する。
【００１７】
本発明の目的は、エミッタティップ先端及びその周辺での不純物ガスの脱着を抑えることにより、安定したイオンビームを照射することが可能な荷電粒子線装置を提供することである。
【課題を解決するための手段】
【００１８】
上記課題を解決する為に、例えば特許請求の範囲に記載の構成を採用する。本願は上記課題を解決する手段を複数含んでいるが、その一例をあげるならば、荷電粒子源から放出される荷電粒子線を試料上に入射させる荷電粒子照射カラムを備える荷電粒子線装置であって、針状の陽極エミッタティップと、前記エミッタティップに対向して配置された引出し電極と、前記エミッタティップを冷却するためのコールドヘッドを有する冷凍機と、前記冷凍機から前記エミッタティップに熱を伝えるための伝熱部と、前記エミッタティップの角度を変更する駆動機構と、前記駆動機構及び前記冷凍機の前記コールドヘッドが配置される第１の空間と、前記エミッタティップが配置される第２の空間を隔てる真空隔壁と、を備え、前記真空隔壁は、前記エミッタティップに接続されており、前記真空隔壁は、前記駆動機構の動きに応じて動く可動部を備える、荷電粒子線装置が提供される。
【発明の効果】
【００１９】
本発明によれば、不純物ガスの脱着を抑えることにより、安定したイオンビームを照射することが可能な荷電粒子線装置を提供できる。
本発明に関連する更なる特徴は、本明細書の記述、添付図面から明らかになるものである。また、上記した以外の、課題、構成及び効果は、以下の実施例の説明により明らかにされる。
【図面の簡単な説明】
【００２０】
【図１】走査イオン顕微鏡の全体構成図である。
【図２】図１の走査イオン顕微鏡においてガス電界電離イオン源および冷却機構の拡大図である。
【図３】ガスの循環を用いて機械式冷凍機から熱を伝える構成を示す図である。
【図４】走査イオン顕微鏡における真空隔壁の第２の例である。
【図５】走査イオン顕微鏡における真空隔壁の第３の例である。
【図６】走査イオン顕微鏡における真空隔壁の第４の例である。
【図７】冷媒を用いた冷凍機の例である。
【発明を実施するための形態】
【００２１】
以下、添付図面を参照して本発明の実施例について説明する。なお、添付図面は本発明の原理に則った具体的な実施例を示しているが、これらは本発明の理解のためのものであり、決して本発明を限定的に解釈するために用いられるものではない。
【００２２】
荷電粒子線装置は、電子や陽イオンなどの電荷をもつ粒子（荷電粒子）を電界で加速し、試料に照射する装置である。荷電粒子線装置は、試料と荷電粒子との相互作用を利用して、試料の観察、分析、加工などを行う。本発明は、走査電子顕微鏡、走査透過電子顕微鏡、透過電子顕微鏡、イオン顕微鏡、集束イオンビーム装置、これらと試料加工装置との複合装置、またはこれらを応用した解析・検査装置にも適用可能である。また、本発明は電界電離イオン源にて高い効果を発揮するが、特に言及しなければ、他のイオン源でも良い。
【００２３】
図１と図２を参照して本発明による荷電粒子線装置の例を説明する。以下にイオンビーム装置として、走査イオン顕微鏡の第１の例を説明する。図１は、走査イオン顕微鏡装置１００の全体像を示し、図２は、走査イオン顕微鏡装置１００においてガス電界電離イオン源１および冷却機構４の拡大図を示す。
【００２４】
本例の走査イオン顕微鏡装置１００は、ガス電界電離イオン源１と、イオンビーム照射系カラム２と、試料室３と、冷却機構４と、真空排気機構５と、ティップ駆動機構６とを備える。ここで、ガス電界電離イオン源１、イオンビーム照射系カラム２、試料室３、及び冷却機構４は、真空容器であり、真空排気機構５により真空排気される。
【００２５】
ガス電界電離イオン源１は、針状のエミッタティップ（陽極エミッタティップ）１１と、エミッタティップ１１に対向して配置された引出し電極１３と、エミッタティップ１１を保持するティップホルダ１６と、ガス導入機１７と、高電圧電源１８とを有する。引出し電極１３は、イオンが通過する開口部１２を有する。ティップホルダ１６は、例えば絶縁体製である。
【００２６】
さらに、本例の走査イオン顕微鏡装置１００は真空隔壁７を有する。冷却機構４とティップ駆動機構６とを備える第１の空間、及び、ガス電界電離イオン源１のエミッタティップ１１とイオンビーム照射系カラム２と試料室３とを備える第２の空間は、真空隔壁７によって隔てられたそれぞれ異なる２つの真空容器である。ここで、上記第１の空間を真空容器９とし、上記第２の空間を真空容器８とする。
【００２７】
ガス導入機１７は、ガス導入管１７１と、ガスリークバルブ１７２と、ガスレギュレーターバルブ１７３と、ガスシリンダ１７４とを有する。また、高電圧電源１８は、電源本体１８１と、高電圧ケーブル１８２と、高電圧端子１８３とを有する。
【００２８】
ガス導入機１７から導入される、例えばヘリウム、ネオン、アルゴン、クリプトン、水素、窒素、酸素等のイオン化ガスが、高電圧電源１８により高電圧に保たれたエミッタティップ１１の先端部分でイオン化され、イオンビーム１５として取り出される。
【００２９】
イオンビーム照射系カラム２は、ガス電界電離イオン源１から放出されるイオンビームを試料３１上に入射させる電子光学系を含む。イオンビーム照射系カラム２は、本体部２０と、ガス電界電離イオン源１から放出されたイオンを集束する集束レンズ２１と、集束レンズ２１を通過したイオンビーム１５を制限する可動な第１アパーチャ２２と、第１アパーチャ２２を通過したイオンビーム１５を走査あるいはアライメントする第１偏向器２３と、第１アパーチャ２２を通過したイオンビーム１５を偏向する第２偏向器２４と、第１アパーチャ２２を通過したイオンビーム１５を制限する第２アパーチャ２５と、第１アパーチャ２２及び第２アパーチャ２５を通過したイオンビーム１５を試料３１上に集束する対物レンズ２６とを備える。
【００３０】
試料室３は、試料３１を載置する試料ステージ３２と、二次粒子検出器３３とを有する。試料室３は、除振台３４により支持されている。除振台３４は、床からの振動がエミッタティップ１１へ伝播することを防止する。除振台３４は、ダンパー３４１を介して床と接続している。ダンパー３４１は、空気ばねやゴム製の部材により構成されてよい。また、ダンパー３４１として、必要に応じてアクティブダンパーを使用または併用してもよい。
【００３１】
なお、走査イオン顕微鏡装置１００が、上述した以外に他のレンズ、電極、検出器などを含んでもよいし、一部が上記と異なっていてもよく、走査イオン顕微鏡の構成はこれに限られない。
【００３２】
ガス電界電離イオン源１からのイオンビーム１５は、イオンビーム照射系カラム２を経由して試料３１に照射される。試料３１からの二次粒子は、二次粒子検出器３３によって検出される。また、図示されていないが、イオンビーム１５を照射したときの試料３１の帯電を中和するための電子銃、及び試料近傍にガスを供給するガス銃が設けられている。このガス銃によりデポジションガスや帯電中和用等のガスが供給される。
【００３３】
冷却機構４は、ガス電界電離イオン源１の内部、すなわちエミッタティップ１１及びティップホルダ１６などを冷却する機構である。冷却機構４は、冷凍機本体４１と、伝熱ロッド４２と、より線４４、４５と、輻射シールド４３、４６と、ロッド支持体４７と、振動ダンパー４８と、冷凍機支持体４９とを備える。
【００３４】
冷却機構４は、例えばギフォードマクマホン型（ＧＭ型）冷凍機を用いる場合には、ヘリウムガスを循環させる圧縮機ユニット４１１（コンプレッサ）が設置され、冷凍機本体４１とコンプレッサ４１１との間は冷凍機用の配管４１５で接続される。
【００３５】
冷凍機本体４１には、通常、その冷却能を伝えるのに適した個所がある。例えば、図１ではＧＭ型の冷凍機を使用する場合を例にとっている。この場合、冷却に適した部分とは、後述する第２コールドヘッド４１３よりも高い冷凍能力を持ち、比較的高い温度からの冷却を始めることができる第１コールドヘッド４１２が挙げられる。もしくは、第１コールドヘッド４１２よりも到達温度の低い冷凍能力を持ち、比較的低い温度にすることができる第２コールドヘッド４１３である。
【００３６】
エミッタティップ１１は、ティップホルダ１６、より線４４、及び伝熱ロッド４２を介して冷凍機本体４１の第２コールドヘッド４１３に接続され、冷却される。輻射シールド４６は、エミッタティップ１１、ティップホルダ１６、及び真空隔壁７の周囲を囲むように設置されている。真空隔壁７は、輻射シールド４６の内側に配置されており、エミッタティップ１１の近傍に設けられている。輻射シールド４６は、伝熱ロッド４２を覆うように設置された輻射シールド４３、及びより線４５を介して第１コールドヘッド４１２に接続され、冷却される。
【００３７】
伝熱ロッド４２は、輻射シールド４３内にロッド支持体４７によって支持されてよい。この際、輻射シールド４３より温度が低い伝熱ロッド４２へ輻射シールド４３からロッド支持体４７を介して熱が流入するのを少なくするために、ロッド支持体４７として、熱伝導率が小さい部材を選ぶ必要がある。ここで、真空隔壁７により、ロッド支持体４７とエミッタティップ１１は別の真空容器中に位置しているため、ロッド支持体４７から放出される不純物ガスがエミッタティップ１１へ付着することを防止する効果を奏する。すなわちロッド支持体４７の部材に関しては従来のように超高真空に対応した脱ガス量の少ない部材である必要はない。具体的には、ロッド支持体４７として、繊維強化プラスチックなどの部材を使用してよい。
【００３８】
また、振動ダンパー４８は、イオンビーム照射系カラム２の本体部２０と冷凍機本体４１との間に配置されている。したがって、振動ダンパー４８は、冷凍機本体４１で生じる機械的振動を低減する。このため、振動が伝達しにくい防振材を振動ダンパー４８として選ぶ必要がある。ここで、真空隔壁７により、振動ダンパー４８とエミッタティップ１１は別の真空容器中に位置しているため、振動ダンパー４８の内壁から放出される不純物ガスがエミッタティップ１１へ付着することを防止する効果を奏する。すなわち振動ダンパー４８の部材に関しては従来のように超高真空に対応した脱ガス量の少ない部材である必要はない。具体的には、振動ダンパー４８として、ゴムやゲルなどの素材を使用してよい。
【００３９】
真空排気機構５は、真空ポンプ５１、５２と、真空バルブ５３、５４、５５、５６、５７と、配管５８、５９とを備える。真空ポンプ５１は、配管５９及び真空バルブ５４、５５、５６、５７を介して、ガス電界電離イオン源１のエミッタティップ１１、イオンビーム照射系カラム２、及び試料室３を含む真空容器８を真空排気する。真空ポンプ５１は、油回転ポンプやドライポンプで補助排気されたターボ分子ポンプであってよい。
【００４０】
また、真空ポンプ５２は、配管５８及び真空バルブ５３を介して、冷凍機本体４１及びティップ駆動機構６を含む真空容器９を真空排気する。真空ポンプ５２は、油回転ポンプやドライポンプであってよい。あるいは、真空ポンプ５２は、油回転ポンプやドライポンプ等で補助排気されたターボ分子ポンプであってもよい。このように、エミッタティップ１１を含む真空容器８は、真空ポンプ５１で真空排気され、冷凍機本体４１及びティップ駆動機構６を含む真空容器９は、真空ポンプ５２で真空排気され、２つの真空容器８、９を個別に真空排気できる。真空容器９は、ティップ周辺の真空度とは異なり、高真空程度以上（０．１Ｐａ以下）であれば、冷却性能を維持するのに十分である。また、真空隔壁７により２つの真空容器８、９に分けられるため、従来に比べてエミッタティップ１１の周辺の空間が小さくなる。したがって、エミッタティップ１１の周辺から真空排気するのに必要な所用時間が低減される。
【００４１】
ここでは、２つの真空ポンプ５１、５２を用いる構成を例として挙げているが、エミッタティップ１１が十分に冷却されている状態では、真空バルブ５３を閉とし、真空ポンプ５２の運転を停止する、あるいは真空ポンプ５２を取り外すことが可能である。これにより、真空ポンプ５２の運転により生じうる機械的振動を防止することが可能となる。
【００４２】
また、図示はしていないが、この真空ポンプ５２の他にイオンポンプやノーブルポンプ、チタンサブリメーションポンプや非蒸発ゲッタポンプなどをガス電界電離イオン源１、イオンビーム照射系カラム２、試料室３に取り付けて真空排気してよい。
【００４３】
さらに、ガス電界電離イオン源１、イオンビーム照射系カラム２、試料室３の間は真空排気のコンダクタンスを制限し、差動排気が可能であるように構成してよい。図１では集束レンズ２１及び対物レンズ２６の個所でコンダクタンスを制限する構成を図示しているが、その他の個所、例えば引出し電極１３の開口部１２でコンダクタンスを制限してもよい。
【００４４】
ガス導入機１７より前述のイオン化ガスを導入する際、真空バルブ５４を閉とし、真空バルブ５５、５６、５７を開として真空排気をしてもよい。これにより、エミッタティップ１１の周りのイオン化ガスの圧力が局所的に高まる差動排気となり、発生したイオンを散乱することなく、イオンビーム１５を効率よく試料３１に照射することが可能となるという効果を奏する。
【００４５】
ティップ駆動機構６は、エミッタティップ１１の角度を変更するためのものである。ティップ駆動機構６は、エミッタティップ１１及びティップホルダ１６を支持するティップベースマウント６１と、ティップ傾斜機構６２と、可動な金属ベローズ６３と、固定部品６５とを備える。ティップ傾斜機構６２は、図２に示すように、球面座６２１によって構成されても良いし、図示はしていないが、ギアやシャフトを組み合わせて構成されてもよい。
【００４６】
ティップ駆動機構６は、エミッタティップ１１の先端の方向をイオンビーム照射軸６４に精度良く合わせるために用いる。ティップベースマウント６１が球面座６２１上に沿って動くことにより、エミッタティップ１１の先端の方向の角度を調整できる。この角度軸調整により、イオンビーム１５の歪みを少なくするという効果を奏する。
【００４７】
ティップベースマウント６１とティップホルダ１６は、固定部品６５により連結される。ティップベースマウント６１は、通常室温であり、ティップホルダ１６は本装置が稼働する際には低温に冷却されるため、ティップベースマウント６１とティップホルダ１６を連結する固定部品６５は熱伝導率の低い部品を選ぶ必要がある。ここで、真空隔壁７により固定部品６５とエミッタティップ１１は別の真空容器中に位置しているため、固定部品６５から放出される不純物ガスがエミッタティップ１１へ付着することを防止する効果を奏する。すなわち固定部品６５の部材に関しては従来のように超高真空に対応した脱ガス量の少ない部材である必要はない。具体的には、固定部品６５として繊維強化プラスチックなどの部材を使用してよい。
【００４８】
図１及び図２に示すように、真空隔壁７は、エミッタティップ１１とイオンビーム照射系カラム２の本体部２０との間に延びる隔壁である。真空隔壁７は、ガス電界電離イオン源１のエミッタティップ１１を含む真空容器８と、冷凍機本体４１を含む真空容器９との間のコンダクタンスがない状態、すなわち、真空容器８と真空容器９との間が完全にシールされてガス等が移動しない状態にする部材である。
【００４９】
真空隔壁７は、ティップホルダ１６に接続された真空シール部７１と、ティップ駆動機構６の動きに応じて動く金属ベローズ（可動部）７２と、イオンビーム照射系カラム２の本体部２０に接続された支持部７３とを備える。金属ベローズ７２を用いることにより、ガス電界電離イオン源１を含む真空容器８と冷凍機本体４１を含む真空容器９とを隔離し、かつエミッタティップ１１の方位または位置をティップ駆動機構６により変更することが可能であるという効果を奏する。
【００５０】
本例ではティップホルダ１６として絶縁体を用いているが、ティップホルダ１６の部材として金属、例えば銅を用いる時には支持部７３の部材に絶縁体を用いてエミッタティップ１１に印加される高電圧を絶縁してもよい。また、真空シール部７１を設けることにより、エミッタティップ１１を交換する際、ティップホルダ１６を装置上方に取り外すことが可能になるという効果を奏する。
【００５１】
図３は、特に走査イオン顕微鏡装置１００においてエミッタティップ１１に機械式冷凍機から熱を伝える手段として、ガスの循環を用いた例である。この例では循環させるガスとしてヘリウムを使用する例を説明する。このガス循環ユニット２００を採用することにより機械式冷凍機の運転により生じた機械的振動が、エミッタティップ１１に伝播することを低減できるという効果を奏する。図１及び図２で説明したものと同様の個所の説明は省略する。
【００５２】
ガス循環ユニット２００は、冷凍機本体２１０と、冷凍機のヘリウム循環コンプレッサユニット２２０と、熱交換器Ａ２３１と、熱交換器Ｂ２３２と、熱交換器Ｃ２３３と、熱交換器Ｄ２３４と、熱交換器Ｅ２３５と、熱交換器Ｆ２３６と、熱伝達用のヘリウム循環コンプレッサユニット２４０と、トランスファーチューブ２５０と、ヘリウム循環配管２５１、２５２と、を備える。
【００５３】
ヘリウムがヘリウム循環配管２５１及び２５２内を循環することで、冷凍機本体２１０で生じる冷却能をエミッタティップ１１及び輻射シールド４６に伝導する。熱交換器Ａ２３１は、ヘリウム循環コンプレッサユニット２４０から送られる常温のヘリウムと、輻射シールド４６を冷却した後にガス循環ユニット２００に戻ってきたヘリウムとの間の熱交換を行う。
【００５４】
熱交換器Ｂ２３２は、熱交換器Ａ２３１を経て冷却されたヘリウムと、冷凍機の第１コールドヘッド２１１との間の熱交換を行う。熱交換器Ｃ２３３は、ティップホルダ１６を冷却した後にガス循環ユニット２００に戻ってきたヘリウムと、熱交換器Ｂ２３２を経て冷却されたヘリウムとの間の熱交換を行う。
【００５５】
熱交換器Ｄ２３４は、熱交換器Ｃ２３３を経て冷却されたヘリウムと、冷凍機の第２コールドヘッド２１２との間の熱交換を行う。熱交換器Ｅ２３５は、ヘリウム循環コンプレッサユニット２４０より送り出されたヘリウムと、輻射シールド４６に接続されたより線４５との間の熱交換を行う。熱交換器Ｆ２３６は、ティップホルダ１６に接続されたより線４４との熱交換を行う。
【００５６】
図４は、本発明の走査イオン顕微鏡における真空隔壁の第２の例である。図４の例では、真空隔壁７の一部（例えば、支持部７３）が、折り返し機構３０１を備える。図４の例では、折り返し機構３０１は、２つの折り返し部を備えているが、これに限定されず、少なくとも１つの折り返し部を備えていればよい。
【００５７】
折り返し機構３０１により、イオンビーム照射系カラム２の本体部２０における装置本体室温部３０２からティップホルダ１６までの距離が長くなる。このため、エミッタティップ１１への装置本体室温部３０２からの熱流入が小さくなり、ひいてはエミッタティップ１１の冷却温度が低下し、イオンビームの電流量が高くなる効果を奏する。また、冷却温度の低下により脱ガス量が小さくなり、安定したイオンビームを照射することが可能である。
【００５８】
また、真空隔壁７の折り返し機構３０１は、輻射シールド４６に接続されている。輻射シールド４６が装置本体室温部３０２からの熱流入の逃げ道となるため、エミッタティップ１１をより効果的に冷却することも可能である。
【００５９】
図５は、本発明の走査イオン顕微鏡における真空隔壁の第３の例である。図５の例では、真空隔壁７の一部（例えば、支持部７３）が、開口部４０３を有する引出し電極４０２に絶縁体４０１を介して接続されている。この構成によれば、エミッタティップ１１を、真空隔壁７の一部と、絶縁体４０１と、引出し電極４０２で内包する構造となる。この例では、真空容器８が、エミッタティップ１１を内包する第１の部屋と、第１の部屋の外側に設けられた第２の部屋とを備える。
【００６０】
ここで、真空隔壁７の一部と、絶縁体４０１と、引出し電極４０２で内包される空間を第１の部屋５０１とする。また、引出し電極４０２と、真空隔壁７の一部と、集束レンズ２１で内包される空間を第２の部屋５０２とする。さらに、冷凍機本体４１を含む真空容器９を第３の部屋５０３とする。
【００６１】
第１の部屋５０１は、引出し電極４０２の開口部４０３を除き密閉した構造としてよい。第１の部屋５０１と第２の部屋５０２とは、開口部４０３を介して接続されている。第２の部屋５０２には、真空ポンプ５２用の配管５９が接続されている。第２の部屋５０２側が真空ポンプ５２により真空排気され、第１の部屋５０１及び第２の部屋５０２は、開口部４０３を介して差動排気されるように構成されている。
【００６２】
また、第１の部屋５０１には、イオン化ガスを導入する機構が設けられている。具体的には、第１の部屋５０１には、ガスリークバルブ１７２を有するガス導入管１７１が設けられている。ガス導入管１７１は、エミッタティップ１１の極近傍にイオン化ガスが導入可能なように配置されている。このような構成により、エミッタティップ１１の周辺の空間だけガスの圧力が高まる構成となる。導入されたガスは、引出し電極４０２の開口部４０３を介して真空排気される。このような差動排気の構造とすることにより、イオンビームのガス分子による散乱を低減するという効果を奏する。
【００６３】
また、絶縁体４０１及び引出し電極４０２は、機械式冷凍機により冷却されたティップホルダ１６に接続された真空隔壁７の一部（例えば、支持部７３）に接続されるため、同様に冷却される。このことにより、エミッタティップ１１へ輻射による熱流入を低減することができる。したがって、エミッタティップ１１の冷却温度が低下し、エミッタティップ１１より放出されるイオンビームの電流量が増えるという効果を奏する。
【００６４】
図６は、本発明の走査イオン顕微鏡における真空隔壁の第４の例である。図６の例では、第１の部屋５０１の外部、すなわち第２の部屋５０２に、ガスを導入するための機構が設けられている。具体的には、第２の部屋５０２には、バリアブルリークバルブ４０５を有する第２のガス導入口４０４が設けられている。第２のガス導入口４０４には、バリアブルリークバルブ４０５を介してガスボンベ（図示せず）からエミッタティップ１１を整形する作用を有するエッチングガスが供給される。
【００６５】
エッチングガスとしては、例えば酸素、窒素等のガスを使用してよい。本例に示すような構造において第２の部屋５０２に対してエッチングガスを導入すると、真空隔壁７によりエッチング作用のあるガスが冷却機構４の低温に冷却された個所、例えば図１の第２コールドヘッド４１３やより線４４などに吸着されることがない。したがって、エッチングガスの吸着個所の面積を少なく抑えることができ、エッチングガスの吸着量が低減される。その結果、エッチングガス導入を終了し、エミッタティップ１１の周辺から真空排気するのに必要な所用時間が低減され、エミッタティップ１１の周辺の真空度が比較的早く高まるという効果を奏する。
【００６６】
図７は、本発明においてエミッタティップ１１の冷却手段として機械式冷凍機の代わりに液体窒素や液体ヘリウム等の冷媒を用いた例である。その他の部分については、上述した例と同様であるため、同じ符号を付して説明を省略する。
【００６７】
図７の例では、冷媒容器７０１の内部に液体窒素や液体ヘリウム等の冷媒を導入し、エミッタティップ１１を冷却する。冷却の際には、冷媒容器７０１の内部を真空ポンプ等（図示せず）により真空排気してもよい。蒸気圧を下げることにより冷媒の温度がさがり、エミッタティップ１１の冷却温度をさらに低くすることが可能となる。さらに、この真空排気により冷媒を固化すれば、冷媒の沸騰現象による振動が低減され、エミッタティップ１１へ伝わる振動が低減できる。
【００６８】
以上から、上述の実施例によれば、ガス電界電離イオン源１から放出されるイオンビームを試料３１上に入射させるイオンビーム照射系カラム２を備える走査イオン顕微鏡装置１００は、針状のエミッタティップ１１と、エミッタティップ１１に対向して配置された引出し電極１３と、エミッタティップ１１を冷却するための冷却機構４と、エミッタティップ１１の角度を変更するティップ駆動機構６と、ティップ駆動機構６及び冷却機構４が配置される第１の空間と、エミッタティップ１１が配置される第２の空間を隔てる真空隔壁７と、を備える。真空隔壁７は、エミッタティップ１１に接続されており、真空隔壁７は、ティップ駆動機構６の動きに応じて動く金属ベローズ（可動部）７２を備える。
【００６９】
この構成によれば、エミッタティップ１１側と機械冷凍機側を分離する真空隔壁７を用いることにより、エミッタティップ１１以外に低温に冷却される個所のほとんどが機械冷凍機側に位置するため、冷却個所の表面に吸着された不純物ガスが脱離してエミッタティップ１１に影響を及ぼすことがない。不純物の脱離に関しては装置の温度調整や、エミッタティップ成型時の加熱処理等により生じうる。エミッタティップ先端及びその周辺での不純物ガスの脱着を抑えることができ、安定したイオンビームを照射することが可能となる。
【００７０】
また、エミッタティップはイオン化ガス導入前の真空度として超高真空より高い空間（１０−５Ｐａ以下）に配されなくてはならず、かつ導入するイオン化ガスの純度はよりよく保たれなくてはならない。高い真空度を得る為には、ベーキングと呼ばれる真空容器を真空ポンプで排気した状態でその容器を常温より高く加熱する手段が効果的である。しかしながら、真空容器及び真空シール材は加熱に耐えうる金属や耐熱性を持つ樹脂材料等で構成される必要があり、コストが高くなるという課題がある。上述の実施例によれば、真空隔壁７を用いることにより、安定的なイオンビームの生成に必要な高価な超高真空対応の部品点数を必要最低限にすることができ、安定なイオンビームを生成することを可能にしながらも安価な荷電粒子顕微鏡を提供することが可能となる。
【００７１】
例えば超高真空を生成する真空容器においては通常真空シール部に金属製のガスケットを用いるが、真空隔壁７を設けることにより、機械式冷凍機側の超高真空が必要ない領域において、例えばゴム製のシール部品を用いることが可能になる。これにより、装置の組み立てが容易になる。
【００７２】
さらに、機械式冷凍機側の領域においては、コストの面のみならず、超高真空の領域では通常使用されない、脱ガスの多い部材や、熱に弱い部材も使用可能となり、装置設計の自由度が増す。例えば低温冷却部と室温の部材を連結して支持する部品に関しては、従来熱伝導率が小さい部材を使用することが通常行われるが、超高真空対応の部品とするためにはさらに熱に強くかつ真空中で脱ガス量が少ない部材を選定しなければならない。上述の実施例によれば、機械式冷凍機側にはこのような制限がなくなるため、装置を小型軽量化することが可能となる。
【００７３】
さらに、エミッタティップ１１側と機械式冷凍機側を分離する真空隔壁７に可動性を持たせることにより、エミッタティップ１１の角度調整が可能となる。これにより非常に高い指向性をもつイオンビーム１５の軸調整が可能となり、輝度の高いイオンビーム１５を試料３１に照射することが可能となる。
【００７４】
さらに、機械式冷凍機と装置本体の連結にも、可動性のある振動ダンパー４８を用いることにより、機械式冷凍機の運転により発生した振動をこの連結部にて低減することができる。この連結部には金属製のべローズのほかにも、より振動の低減に効果がある部材、例えばゴム製の部材により構成された部品を使用することが可能となる。
【００７５】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることがあり、また、ある実施例の構成に他の実施例の構成を加えることも可能である。また、各実施例の構成の一部について、他の構成の追加・削除・置換をすることが可能である。
【符号の説明】
【００７６】
１００…走査イオン顕微鏡装置  １…ガス電界電離イオン源  ２…イオンビーム照射系カラム  ３…試料室  ４…冷却機構  ５…真空排気機構  ６…ティップ駆動機構  ７…真空隔壁  ８、９…真空容器  １１…エミッタティップ  １２…開口部  １３…引出し電極  １５…イオンビーム  １６…ティップホルダ  １７…ガス導入機  １７１…ガス導入管  １７２…ガスリークバルブ  １７３…ガスレギュレーターバルブ  １７４…ガスシリンダ  １８…高電圧電源  １８１…電源本体  １８２…高電圧ケーブル  １８３…高電圧端子  ２１…集束レンズ  ２２…第１アパーチャ  ２３…第１偏向器  ２４…第２偏向器  ２５…第２アパーチャ  ２６…対物レンズ  ３１…試料  ３２…試料ステージ  ３３…二次粒子検出器  ３４…除振台  ３４１…ダンパー  ４１…冷凍機本体  ４２…伝熱ロッド  ４４、４５…より線  ４３、４６…輻射シールド  ４７…ロッド支持体  ４８…振動ダンパー  ４９…冷凍機支持体  ４１１…コンプレッサ  ４１２…第１コールドヘッド  ４１３…第２コールドヘッド  ４１５…配管  ５１、５２…真空ポンプ  ５３、５４、５５、５６、５７・・・真空バルブ  ５８、５９…配管  ６１…ティップベースマウント  ６２…ティップ傾斜機構  ６３…金属ベローズ  ６５…固定部品  ７１…真空シール部  ７２…金属ベローズ  ７３…支持部  ２００…ガス循環ユニット  ２１０…冷凍機本体  ２２０、２４０…ヘリウム循環コンプレッサユニット  ２３１…熱交換器Ａ  ２３２…熱交換器Ｂ  ２３３…熱交換器Ｃ  ２３４…熱交換器Ｄ  ２３５…熱交換器Ｅ  ２３６…熱交換器Ｆ  ２５０…トランスファーチューブ  ２５１、２５２…ヘリウム循環配管  ３０１…折り返し機構  ３０２…装置本体室温部  ４０１…絶縁体  ４０２…引出し電極  ４０３…開口部  ４０４…第２のガス導入口  ４０５…リークバルブ  ５０１…第１の部屋  ５０２…第２の部屋  ５０３…第３の部屋  ７０１…冷媒容器   
【図１】
2014235985.tif 000003
【図２】
2014235985.tif 000004
【図３】
2014235985.tif 000005
【図４】
2014235985.tif 000006
【図５】
2014235985.tif 000007
【図６】
2014235985.tif 000008
【図７】
2014235985.tif 000009